(57)【特許請求の範囲】
【請求項１】
デジタル放送を受信し、受信中の放送局の選局情報及び番組情報を抜き出すデジタル放送受信部と、
前記デジタル放送受信部で抜き出された前記選局情報及び番組情報を蓄積する放送局情報蓄積部と、
前記デジタル放送受信部が受信中の放送局が受信できなくなるとき、前記受信中の放送局が所定の条件に一致すると判定したとき、前記放送局情報蓄積部に前記選局情報及び番組情報を保存し、前記受信中の放送局が所定の条件に一致しないと判定したとき、前記放送局情報蓄積部の前記選局情報及び番組情報を消去する放送局情報保存／消去判定部と、
前記デジタル放送受信部が前記所定の条件に一致する放送局が受信できるように戻るとき、前記放送局情報蓄積部に保存された前記選局情報及び番組情報に基づいて選局を行う制御部とを備え、
前記所定の条件は、前記受信できなくなる放送局が視聴者の自宅地域の放送局である場合に前記放送局情報蓄積部に保存している放送局の前記情報を保存し、前記受信できなくなる放送局が視聴者の自宅地域の放送局でない場合に前記放送局情報蓄積部に保存している放送局の前記情報を消去することを特徴とするデジタル放送受信端末。
【請求項２】
前記選局情報は、少なくとも物理チャンネルと放送局を特定するＩＤとエリアコードの何れかを含む請求項１に記載のデジタル放送受信端末。
【請求項３】
前記放送局情報保存／消去判定部は、受信できなくなった放送局が自宅地域の放送局かの判定は、放送局が送出するエリアコードと、自宅地域のエリアコードを用いて実行する請求項１に記載のデジタル放送受信端末。
【請求項４】
前記所定条件として前記選局情報及び番組情報を消去しない放送局として視聴者が設定する指示を受け付ける入力部を更に備え、
前記放送局情報保存／消去判定部は、受信できなくなった場合に、情報を消去しない放送局として視聴者が設定しているか否かを基にして前記放送局情報蓄積部に保存されている放送局の情報を保存するか消去するかを判定する請求項１に記載のデジタル放送受信端末。
【請求項５】
前記放送局情報保存／消去判定部は、放送を受信できなくなった場合、
前記放送局情報蓄積部における選局情報を保存する領域が一杯でなければ受信できなくなった時刻と共に情報を保存し、
一杯であれば受信できなくなった時刻が最も古い情報を不必要と判断して消去してから保存する
様に判定する請求項１に記載のデジタル放送受信端末。
【請求項６】
位置情報を受信する位置情報受信部を更に備え、
前記放送局情報保存／消去判定部は、放送を受信できなくなった場合、前記位置情報受信部から取得した現在位置がその放送局を受信できるはずの地域に一致すると判定したとき、前記放送局情報蓄積部に前記放送局の前記選局情報及び番組情報を保存し、前記位置情報受信部から取得した現在位置がその放送局を受信できるはずの地域に一致しないと判定したとき、前記放送局情報蓄積部の前記選局情報及び番組情報を消去する請求項１に記載のデジタル放送受信端末。
【請求項７】
位置情報を受信する位置情報受信部を更に備え、
前記放送局情報保存／消去判定部は、放送を受信できなくなった場合、前記位置情報受信部から取得した前記現在位置がその放送局を受信できる地域に隣接する地域であると判定したとき、前記放送局情報蓄積部に前記放送局の前記選局情報及び番組情報を保存し、前記位置情報受信部から取得した現在位置がその放送局を受信できる地域に隣接する地域でないと判定したとき、前記放送局情報蓄積部の前記選局情報及び番組情報を消去する請求項１に記載のデジタル放送受信端末。
【請求項８】
前記位置情報受信部はＧＰＳ情報受信部である請求項６または７の何れかに記載のデジタル放送受信端末。
【請求項９】
前記現在位置は緯度と経度に関連して定義されている請求項６または７の何れかに記載のデジタル放送受信端末。
【請求項１０】
前記位置情報受信部は、携帯電話部である請求項６または７の何れかに記載のデジタル放送受信端末。
【請求項１１】
前記現在位置は、携帯電話の基地局の場所に関する情報である請求項１０に記載のデジタル放送受信端末。
【請求項１２】
前記制御部に制御され、ナビゲーション端末と接続される外部インターフェースを更に備え、
前記放送局情報保存／消去判定部は、放送を受信できなくなった場合、その放送局を受信できるはずの地域の中に、前記ナビゲージョン端末の登録情報蓄積部に登録されている目的地があると判定したとき、前記放送局情報蓄積部に前記放送局の前記選局情報及び番組情報を保存し、その放送局を受信できるはずの地域の中に、前記ナビゲージョン端末の登録情報蓄積部に登録されている目的地がないと判定したとき、前記放送局情報蓄積部の前記選局情報及び番組情報を消去する請求項１に記載のデジタル放送受信端末。
【請求項１３】
受信できなくなった放送局を受信できるはずの地域の中に前記目的地が登録されているかどうかを判定は、放送局が送出するエリアコードと前記目的地が含まれる地域のエリアコードを基にして前記放送局情報保存／消去判定部が実施する請求項１２に記載のデジタル放送受信端末。
【請求項１４】
前記制御部に制御され、ナビゲーション端末と接続される外部インターフェースを更に備え、
前記放送局情報保存／消去判定部は、放送を受信できなくなった場合、その放送局を受信できるはずの地域の中を、前記ナビゲーション端末の登録情報蓄積部に登録されている経路が通過していると判定したとき、前記放送局情報蓄積部に前記放送局の前記選局情報及び番組情報を保存し、その放送局を受信できるはずの地域の中を、前記ナビゲーション端末の登録情報蓄積部に登録されている経路が通過していないと判定したとき、前記放送局情報蓄積部の前記選局情報及び番組情報を消去する請求項１に記載のデジタル放送受信端末。
【請求項１５】
受信できなくなった放送局を受信できるはずの地域の中を通過する経路が登録されているかどうかの判定は、放送局が送出するエリアコードと、経路上の主要な通過点が含まれる地域のエリアコードとを基にして実行される請求項１４に記載のデジタル放送受信端末。
【請求項１６】
デジタル放送を受信し、受信中の放送局の選局情報及び番組情報を抜き出すデジタル放送受信部と、
前記デジタル放送受信部で抜き出された前記選局情報及びサービス情報を蓄積する放送局情報蓄積部と、
前記デジタル放送受信部が受信中の放送局が受信できなくなるとき、前記受信中の放送局が所定の条件に一致すると判定したとき、前記放送局情報蓄積部に前記所定の条件に一致する前記選局情報及びサービス情報を保存し、前記受信中の放送局が所定の条件に一致しないと判定したとき、前記放送局情報蓄積部の前記選局情報及びサービス情報を消去する放送局情報保存／消去判定部と、
前記デジタル放送受信部が前記所定の条件に一致する放送局が受信できるように戻るとき、前記放送局情報蓄積部に保存された前記選局情報及びサービス情報の画面表示を制御する制御部とを備え、
前記所定の条件は、前記受信できなくなる放送局が視聴者の自宅地域の放送局である場合に前記放送局情報蓄積部に保存している放送局の前記情報を保存し、前記受信できなくなる放送局が視聴者の自宅地域の放送局でない場合に前記放送局情報蓄積部に保存している放送局の前記情報を消去することを特徴とするデジタル放送受信端末。
【請求項１７】
前記サービス情報は、少なくともサービス構成とサービス名称とロゴデータの何れかを含む請求項１６に記載のデジタル放送受信端末。
【請求項１８】
デジタル放送を受信し、受信中の放送局の選局情報及び番組情報を抜き出すデジタル放送受信部と、
前記デジタル放送受信部で抜き出された前記選局情報および番組情報を蓄積する放送局情報蓄積部と、
前記デジタル放送受信部が受信中の放送局が受信できなくなるとき、前記受信中の放送局が所定の条件に一致すると判定したとき、前記放送局情報蓄積部に前記所定の条件に一致する前記選局情報及び番組情報を保存し、前記受信中の放送局が所定の条件に一致しないと判定したとき、前記放送局情報蓄積部の前記選局情報及び番組情報を消去する放送局情報保存／消去判定部と、
前記放送局情報蓄積部に保存された選局情報に基づいて選局を行う制御部と
を備え、
前記放送局情報保存／消去判定部は、放送を受信できなくなった場合、保存している情報のうち、まだ未来の番組情報が保存されていれば情報をそのまま保存し、番組情報がすべて過去のものになったら情報は不必要と判断して消去し、
前記所定の条件は、前記受信できなくなる放送局が視聴者の自宅地域の放送局である場合に前記放送局情報蓄積部に保存している放送局の前記情報を保存し、前記受信できなくなる放送局が視聴者の自宅地域の放送局でない場合に前記放送局情報蓄積部に保存している放送局の前記情報を消去することを特徴とするデジタル放送受信端末。
【発明の詳細な説明】
【技術分野】
【０００１】
本発明は、デジタル放送受信端末に関する。
【背景技術】
【０００２】
一般的にデジタル放送受信端末は、現在受信可能な放送局の情報をデジタル放送信号から取得し保存することができる。また、例えば、特開２００３−１５２５７８号公報や特開２００１−２８５１０１号公報に記載されているデジタル放送受信端末は、すべての放送局の情報をあらかじめ保存している。この２つ公開公報に記載のデジタル放送受信端末を従来例として、図１４および図１５図と伴に以下に説明をする。
【０００３】
ここで、放送局の情報とは、例えば、選局情報（物理チャンネル、放送局を特定するＩＤ、エリアコードなど）、サービス情報（サービス構成、サービス名称、ロゴデータ、など）、番組情報（番組名、映像・音声種別、など）などが含まれる。
【０００４】
図１４のデジタル受信端末１００は、受信可能な放送局の情報をデジタル放送信号から取得し保存することができる。このデジタル受信端末１００は、特開２００３−１５２５７８号公報に記載されている従来のデジタル放送受信端末の構成図である。図１４において、デジタル受信端末１００は、デジタル放送受信部１０１と、制御部１０２と、映像表示部１０４と、音声出力部１０５と、入力部１０６と、放送局情報蓄積部１０７とを備えている。
【０００５】
デジタル放送受信端末１００は、現在受信可能な放送局を調べるためにチャンネルスキャンを行う。その時に受信できた放送局のデジタル放送信号はデジタル放送受信部１０１に入力される。デジタル放送受信部１０１は、受信できた放送局のデジタル放送信号を復調し、エラー訂正し、トランスポートデコードする。トランスポートデコードされた情報から放送局の情報が抜き出されて、制御部１０２を介して放送局情報蓄積部１０７に保存される。チャンネルスキャン完了後は、制御部１０２が放送局情報蓄積部１０７に保存された放送局の情報の中から選局情報を読み出し、デジタル放送受信部１０１を制御する。デジタル放送受信部１０１は制御部１０２に制御されて、希望する放送局を選局し、復調し、エラー訂正し、トランスポートデコードし、映像・音声デコード処理をする。デコードされた映像信号は映像表示部１０４で表示され、デコードされた音声信号は音声出力部１０５から出力され、視聴者は放送を視聴することができる。また、制御部１０２は放送局情報の中からサービス情報と番組情報を読み出し、デジタル放送受信部１０１で番組表を構成させて、映像出力部１０４から番組表を表示することができる。
【０００６】
ところが、デジタル放送受信端末１００が移動することで、その放送局の放送が受信できなくなった時、再度チャンネルスキャンが行われる。それでも受信できない場合は、制御部１０２は放送局情報蓄積部１０７からその放送局の情報を消去する。
【０００７】
このように、上述の従来のデジタル放送受信端末では、受信できなくなった放送局の情報を消去する。従って、再びその放送局の放送が受信可能になった場合も、再度チャンネルスキャンをして放送局の情報を取得しなおす必要がある。
【０００８】
次に図１５は、デジタル放送受信端末がすべての放送局の情報をあらかじめ保存している、特開２００１−２８５１０１号公報に記載の従来のデジタル放送受信端末の構成図である。図１５において、位置情報受信部１０８以外は図１４と共通である。
【０００９】
デジタル放送受信端末１００は、位置情報受信部１０８で受信した位置情報と、放送局情報蓄積部１０７に保存されている情報から、現在位置で受信可能な放送局の情報だけを選択する。デジタル放送受信部１０１は制御部１０２に制御されて、放送局を選局し、復調し、エラー訂正し、トランスポートデコードし、映像・音声デコード処理をする。デコードされた映像信号は、映像表示部１０４で表示され、デコードされた音声信号は、音声出力部１０５から出力される。この様にして、視聴者は放送局からの放送を視聴することができる。また、位置情報受信部１０８を使用せず、視聴者が入力部１０６から入力した位置情報を利用する場合もある。
【００１０】
ところが、放送局の情報の中でもサービス情報は放送局が自由に変えられる情報であり、番組情報は日々刻々と変化する情報である。そのため、これらはあらかじめ保存しておくことはできない。そして、デジタル放送受信端末１００が移動することで放送局の放送が受信できなくなった時は、制御部１０２が放送局情報蓄積部１０７からその放送局の情報のうち、サービス情報や番組情報を消去することになる。
【００１１】
このように、図１５の従来のデジタル放送受信端末では、保存できない放送局の情報については、受信できなくなった場合に消去する。従って、再びその放送局が受信可能になった場合も、再度放送局の情報を取得しなおす必要がある。
【発明の開示】
【００１２】
デジタル放送受信端末は
デジタル放送を受信し、受信中の放送局の選局情報及び番組情報を抜き出すデジタル放送受信部と、
デジタル放送受信部で抜き出された選局情報及び番組情報を蓄積する放送局情報蓄積部と
デジタル放送受信部が受信中の放送局が受信できなくなるとき、受信中の放送局が所定の条件に一致すると判定したとき、放送局情報蓄積部に選局情報及び番組情報を保存し、受信中の放送局が所定の条件に一致しないと判定したとき、放送局情報蓄積部の選局情報及び番組情報を消去する放送局情報保存／消去判定部と、
デジタル放送受信部が所定の条件に一致する放送局が受信できるように戻るとき、放送局情報蓄積部に保存された選局情報及び番組情報に基づいて選局を行う制御部と
とを備え、
所定の条件は、受信できなくなる放送局が視聴者の自宅地域の放送局である場合に放送局情報蓄積部に保存している放送局の情報を保存し、受信できなくなる放送局が視聴者の自宅地域の放送局でない場合に放送局情報蓄積部に保存している放送局の情報を消去することを特徴とする。
【００１３】
デジタル放送受信端末は
デジタル放送を受信し、受信中の放送局の選局情報及び番組情報を抜き出すデジタル放送受信部と、
デジタル放送受信部で抜き出された選局情報及びサービス情報を蓄積する放送局情報蓄積部と、
デジタル放送受信部が受信中の放送局が受信できなくなるとき、受信中の放送局が所定の条件に一致すると判定したとき、放送局情報蓄積部に所定の条件に一致する選局情報及びサービス情報を保存し、受信中の放送局が所定の条件に一致しないと判定したとき、放送局情報蓄積部の選局情報及びサービス情報を消去する放送局情報保存／消去判定部と、
デジタル放送受信部が所定の条件に一致する放送局が受信できるように戻るとき、放送局情報蓄積部に保存された選局情報及びサービス情報の画面表示を制御する制御部と
を備え、
所定の条件は、受信できなくなる放送局が視聴者の自宅地域の放送局である場合に放送局情報蓄積部に保存している放送局の情報を保存し、受信できなくなる放送局が視聴者の自宅地域の放送局でない場合に放送局情報蓄積部に保存している放送局の情報を消去することを特徴とする。
【００１４】
デジタル放送受信端末は
デジタル放送を受信し、受信中の放送局の選局情報及び番組情報を抜き出すデジタル放送受信部と、
デジタル放送受信部で抜き出された選局情報および番組情報を蓄積する放送局情報蓄積部と、
デジタル放送受信部が受信中の放送局が受信できなくなるとき、受信中の放送局が所定の条件に一致すると判定したとき、放送局情報蓄積部に所定の条件に一致する選局情報及び番組情報を保存し、受信中の放送局が所定の条件に一致しないと判定したとき、放送局情報蓄積部の選局情報及び番組情報を消去する放送局情報保存／消去判定部と、
放送局情報蓄積部に保存された選局情報に基づいて選局を行う制御部と
を備え、
放送局情報保存／消去判定部は、放送を受信できなくなった場合、保存している情報のうち、まだ未来の番組情報が保存されていれば情報をそのまま保存し、番組情報がすべて過去のものになったら情報は不必要と判断して消去し、
所定の条件は、受信できなくなる放送局が視聴者の自宅地域の放送局である場合に放送局情報蓄積部に保存している放送局の情報を保存し、受信できなくなる放送局が視聴者の自宅地域の放送局でない場合に放送局情報蓄積部に保存している放送局の情報を消去することを特徴とする。
【発明を実施するための最良の形態】
【００１５】
上記の従来のデジタル放送受信端末では、放送局が受信できなくなった場合に放送局の情報を消去してしまう。従って、再びその放送局が受信可能となった場合も、再度放送局の情報を取得しなおさなければならないという課題を有している。
【００１６】
上記課題を解決するために本発明は、放送局が受信できなくなった場合も、それが自宅付近の放送局である、視聴者が情報保持を選択している、受信できなくなった時刻が新しい、取得済みの未来の番組情報がある、現在位置では受信できるはずの放送局である、現在位置に隣接する地域の放送局である、接続または内蔵しているナビゲージョン端末で目的地として登録している地域の放送局である、登録している経路上で受信できる放送局である、などの条件からデジタル放送受信端末が必要と判断した放送局の情報は、消去せずに保持することを特徴とする。
【００１７】
こうすることで、本発明のデジタル放送受信端末は、放送局の情報が保存されている放送局を再び受信できるようになった場合に、再びチャンネルスキャンしてその放送局を探すことなく選局情報から即時に選局ができるとともに、番組情報を再取得することなく即時に利用できる、という効果が得られる。
【００１８】
（実施の形態１）
図１は、本発明の実施の形態１におけるデジタル放送受信端末のブロック図である。図１において、デジタル放送受信端末１００は、デジタル放送受信部１０１と、制御部１０２と、放送局情報保存／消去判定部１０３と、映像表示部１０４と、音声出力部１０５と、入力部１０６と、放送局情報蓄積部１０７を備えている。
【００１９】
図２は、本発明の実施の形態１におけるデジタル放送受信端末を用いた移動受信のイメージを図示している。図２において、放送局Ａ受信エリア２０２は放送局Ａ２０１の放送を受信することが可能なエリアである。放送局Ｂ受信エリア２１２は放送局Ｂ２１１の放送を受信することが可能なエリアである。移動体２２０はこれらの領域を移動する。
【００２０】
放送局Ａ２０１と放送局Ｂ２１１は、それぞれ特定のエリアの放送を担当していて、時間によって共通の番組を放送したり、独自の番組を放送したりする系列局である。
【００２１】
図３は、本発明の実施の形態１におけるデジタル放送受信端末が、受信できなくなった放送局の情報の保存／消去を判定するフローチャートである。
【００２２】
図４は、本発明の実施の形態１におけるデジタル放送受信端末が、情報を保存している放送局の受信エリアに再び戻ってきた時のフローチャートである。
【００２３】
デジタル放送受信端末１００は、現在受信可能な放送局を調べるためにチャンネルスキャンを行う。デジタル放送受信部１０１は、その時に受信できた放送局のデジタル放送信号を受信し、復調し、エラー訂正し、トランスポートデコードする。そうして、デジタル放送受信部１０１は放送局の情報を抜き出し、抜き出された放送局の情報は制御部１０２を介して放送局情報蓄積部１０７に保存される。
【００２４】
ここで、放送局の情報とは、例えば、選局情報（物理チャンネル、放送局を特定するＩＤ、エリアコードなど）、サービス情報（サービス構成、サービス名称、ロゴデータ、など）、番組情報（番組名、映像・音声種別、など）などが含まれる。
【００２５】
チャンネルスキャン完了後は、制御部１０２が放送局情報蓄積部１０７に保存された放送局の情報の中から選局情報を読み出し、デジタル放送受信部１０１を制御する。デジタル放送受信部１０１は制御部１０２に制御されて、希望する放送局を選局し、復調し、エラー訂正し、トランスポートデコードし、映像・音声デコードの処理をする。デコード処理された映像信号は映像表示部１０４で表示され、デコード処理された音声信号は音声出力部１０５から出力される。この様にして、視聴者は放送局を視聴することができる。また、制御部１０２は放送局の情報の中からサービス情報や番組情報を読み出す。デジタル放送受信部１０１は読み出されたこれらの情報を基にして番組表を構成して、映像表示部１０４で表示することができる。
【００２６】
当初、放送局Ａ２０１の放送を受信していたとする。図３のステップ３０１はこの状態を表している。以降の各フローチャートの説明では、ステップｎｎｎを「（ｎｎｎ）」と表記し、各フローチャートでは「ｎｎｎ」と記載する。デジタル放送受信端末１００を持った移動体２２０が放送局受信エリア２０２内にいたとする。ところが移動体２２０が、放送局Ａ２０１の受信エリア２０２から放送局Ｂ２１１の受信エリア２１２へ移動すると、放送局Ａ２０１の放送が受信できなくなる（３０２）。
【００２７】
そこで、再度チャンネルスキャン（３０３）が行われ、放送局Ａ２０１の放送を受信できるか否かが判断される（３０４）。それでも放送局Ａ２０１の放送が受信できない場合は、放送局Ａ２０１が視聴者の自宅地域の放送局かどうかが判定される（３０５）。この判定には、例えば放送局の情報として送られるエリアコードと、デジタル放送端末１００に視聴者が自宅地域として設定するエリアコードが一致するかが用いられる。この設定は、例えば、ユーザーが入力部１０６を介して入力された情報に基づく。
【００２８】
ここで、エリアコードとは、地域を特定できるよう割り当てられた各地域固有の番号であり、日本のデジタル放送の場合はＡＲＩＢ  ＳＴＤ−Ｂ１０第２部 付録Ｄの表Ｄ−２にある地域符号が用いられているが、郵便番号や電話番号の市外局番などでも代用が可能である。
【００２９】
放送局Ａ２０１が自宅地域の放送局であれば放送局Ａ２０１の情報が保存され（３０７）、そうでなければ放送局Ａ２０１の情報は不必要と判断されて消去される（３０６）。また、放送局Ａ２０１が受信できなくなった場合に再度チャンネルスキャンを行わず、すぐに保存／消去の判定を行う場合もある。
【００３０】
放送局情報保存／消去判定部１０３はこの様な放送局の情報の保存や消去の判定を行う。放送局の情報の保存や消去の判定が成された後、移動体２２０のデジタル放送受信端末１００は放送局Ｂ２１１の放送を受信する（４０１）。
【００３１】
移動体２２０が逆に再び自宅地域周辺に帰ってきて、放送局Ａ受信エリア２０２へ入り、放送局Ｂ２１１の放送が受信できなくなった場合（４０２）は、情報が保存されてる放送局Ａ２０１を選局し（４０３）、受信可能（４０４）であればチャンネルスキャンをすることなく放送局Ａ２０１の放送が視聴できる（４０６）。放送局Ａ２０１も受信できない場合は、他に受信できる放送局を探すためチャンネルスキャンが成される（４０５）。
【００３２】
以上の様に、本実施の形態は情報を保存している放送局を再び受信できるようになった場合に、受信帯域をスキャンしてその放送局を探すことなく選局情報から即時に選局ができること、サービス情報や番組情報を再取得することなく、放送局情報蓄積部１０７に保存したこれらの情報を読み出して即時に番組表（ＥＰＧ）やロゴデータなどを画面表示することができること、さらに、自宅地域の放送局の情報を記憶しておくことでメモリ容量を削減でき、かつ利用頻度の高い放送局の情報を記憶しておくことができること、という効果が得られる。
【００３３】
（実施の形態２）
実施の形態２では、図１、図２、図４は実施の形態１と共通である。
【００３４】
図５は、本発明の実施の形態２におけるデジタル放送受信端末が、受信できなくなった放送局の情報の保存／消去を判定するフローチャートである。
【００３５】
図５でのステップ５０１、５０２、５０３、５０４、５０６、５０７、５０８は図３でのステップ３０１、３０２、３０３、３０４、３０６、３０７、３０８と同様である。従って、ここでは実施の形態１と違うところを主に説明する。実施の形態２では、放送局Ａ２０１を受信して、放送局Ａ２０１の放送が受信できなくなった場合に、局情報を消去しない放送局として視聴者が設定しているかどうかが判定される（５０５）。放送局Ａ２０１が消去しないと設定されていれば放送局Ａ２０１の局情報が保存され（５０７）、そうでなければ放送局Ａ２０１の情報は不必要と判断されて消去される（５０６）。尚、この視聴者の設定は、例えば、ユーザーが入力部１０６を介して予め設定されている。
【００３６】
移動体２２０が逆に再び放送局Ａ受信エリア２０２へ入り、放送局Ｂ２１１の放送が受信できなくなった場合（４０２）は、局情報が保存されている放送局Ａ２０１が選局され（４０３）、受信可能であればチャンネルスキャンをすることなく放送局Ａ２０１を視聴できる（４０６）。
【００３７】
以上の様に、本実施の形態は、情報を保存している放送局を再び受信できるようになった場合に、受信帯域をスキャンしてその放送局を探すことなく選局情報から即時に選局ができること、サービス情報や番組情報を再取得することなく、放送局情報蓄積部１０７に保存したこれらの情報を読み出して即時に番組表（ＥＰＧ）やロゴデータなどを画面表示することができること、さらに、視聴者の設定に基づいて局情報保存／消去を判定することで視聴者の希望に沿った放送局の情報を記憶しておくことができること、という効果が得られる。
【００３８】
（実施の形態３）
実施の形態３では、図１、図２、図４は実施の形態１と共通である。
【００３９】
図６は、本発明の実施の形態３におけるデジタル放送受信端末が、受信できなくなった放送局の情報の保存／消去を判定するフローチャートである。
【００４０】
図６でのステップ６０１、６０２、６０３、６０４、６０８は図３でのステップ３０１、３０２、３０３、３０４、３０８と同様である。従って、ここでは実施の形態１と違うところを主に説明する。実施の形態３では、放送局Ａ２０１の放送が受信できなくなった場合は、放送局情報蓄積部１０７における保存する領域が一杯かどうかが判定される（６０５）。一杯でなければ受信できなくなった時刻と共に放送局Ａ２０１の情報が保存される（６０７）。一杯であれば、受信できなくなった時刻が最も古い情報は不必要であると判断されて消去（６０６）されてから、受信できなくなった時刻と共に放送局Ａ２０１の情報が保存される（６０７）。
【００４１】
移動体２２０が短い期間の後に再び放送局Ａ受信エリア２０２へ入り、放送局Ｂ２１１が受信できなくなった場合（４０２）は、情報が保存されている放送局Ａ２０１が選局され（４０３）、受信可能であればチャンネルスキャンをすることなく放送局Ａ２０１の放送を視聴できる。
【００４２】
以上の様に、本実施の形態は情報を保存している放送局を再び受信できるようになった場合に、受信帯域をスキャンしてその放送局を探すことなく選局情報から即時に選局ができること、サービス情報や番組情報を再取得することなく、放送局情報蓄積部１０７に保存したこれらの情報を読み出して即時に番組表（ＥＰＧ）やロゴデータなどを画面表示することができること、さらに、受信できなくなった時刻が最も古い情報から消去していくことで視聴する頻度の高い放送局の情報を記憶しておくことができること、という効果が得られる。
【００４３】
（実施の形態４）
実施の形態４では、図１、図２、図４は実施の形態１と共通である。
【００４４】
図７は、本発明の実施の形態４におけるデジタル放送受信端末が、受信できなくなった放送局の情報の保存／消去を判定するフローチャートである。
【００４５】
図７でのステップ７０１、７０２、７０３、７０４は図３でのステップ３０１、３０２、３０３、３０４と同様である。従って、ここでは実施の形態１と違うところを主に説明する。実施の形態４では、放送局Ａ２０１の放送が受信できなくなった場合も情報は保存される（７０５）。放送局Ｂ２１１の放送を受信する状態に移行（７０６）され、その後、保存されている放送局Ａ２０１の情報のうち、番組情報がすべて過去のものになったかどうかが判定される（７０７）。まだ未来の番組情報が保存されていれば情報はそのまま保存され、番組情報がすべて過去のものになったら放送局Ａ２０１の情報は不必要と判断されて消去される（７０８）。
【００４６】
移動体２２０が短い期間の後に再び放送局Ａ２０１の受信エリア２０２へ入り、放送局Ｂ２１１が受信できなくなった場合（４０２）は、情報が保存されている放送局Ａ２０１が選局され（４０３）、受信可能であればチャンネルスキャンをすることなく放送局Ａ２０１を視聴できる。
【００４７】
以上の様に、本実施の形態は情報を保存している放送局を再び受信できるようになった場合に、受信帯域をスキャンしてその放送局を探すことなく選局情報から即時に選局ができること、サービス情報や番組情報を再取得することなく、放送局情報蓄積部１０７に保存したこれらの情報を読み出して即時に番組表（ＥＰＧ）やロゴデータなどを画面表示することができること、さらに、未来の番組情報の有無で保存／消去を判定することで視聴する頻度の高い放送局の番組情報が有効利用できること、という効果が得られる。
【００４８】
（実施の形態５）
実施の形態５では、図２、図４は実施の形態１と共通である。
【００４９】
図８は、本発明の実施の形態５におけるデジタル放送受信端末のブロック図である。図８において、デジタル放送受信端末１００は、デジタル放送受信部１０１と、制御部１０２と、放送局情報保存／消去判定部１０３と、映像表示部１０４と、音声出力部１０５と、入力部１０６と、放送局情報蓄積部１０７と、位置情報受信部１０８を備えている。図９のデジタル放送受信端末１００は位置情報受信部１０８以外の部分は図１と同じである。位置情報受信部１０８は、デジタル放送受信端末１００の現在位置に関する情報を受信する。この位置情報受信部１０８は、例えば、ＧＰＳ情報受信部で構成することが出来る。
【００５０】
図９は、本発明の実施の形態５におけるデジタル放送受信端末が、受信できなくなった放送局の情報の保存／消去を判定するフローチャートである。
【００５１】
図９でのステップ９０１、９０２、９０３、９０４、９０６、９０７、９０８は図３でのステップ３０１、３０２、３０３、３０４、３０６、３０７、３０８と同様である。従って、ここでは実施の形態１と違うところを主に説明する。実施の形態５では、放送局Ａ２０１の放送を受信できなくなった場合は、現在位置が放送局Ａ２０１を受信できるはずの地域かが判定される（９０５）。
【００５２】
この判定には、例えば放送局の情報として送られるエリアコードと、デジタル放送端末１００の位置情報受信部１０８で受信した現在位置から算出したエリアコードが一致するかが用いられる。位置情報受信部１０８で受信した現在位置とは、例えば内蔵、もしくは外部に接続されたＧＰＳ情報受信部で受信した緯度と経度、携帯電話部で受信した基地局の場所に関する情報、などが当てはまる。また、現在位置からエリアコードを算出する手段としては、例えば緯度と経度、携帯電話の基地局の場所情報をエリアコードに変換するテーブルを参照する手段などがある。このテーブルはデジタル放送受信端末１００のメモリ上に保存されている。
【００５３】
また、位置情報受信部１０８を使用せず、現在受信できている放送局Ａ２０１以外の放送局のエリアコードを現在位置とする場合もある。
【００５４】
判定の結果、現在位置が放送局Ａ２０１の放送を受信できるはずの地域であれば放送局Ａ２０１の情報が保存され（９０７）、そうでなければ放送局Ａ２０１の情報は消去される（９０６）。そうして、デジタル放送受信端末１００は放送局Ｂ２１１の放送を受信する。
【００５５】
移動体２２０が別の地域に移動することなく再び放送局Ａ２０１の受信エリア２０２へ入り、放送局Ｂ２１１の放送が受信できなくなった場合（４０２）は、情報が保存されている放送局Ａ２０１が選局され（４０３）、受信可能であればチャンネルスキャンをすることなく放送局Ａ２０１が視聴できる。
【００５６】
以上の様に、本実施の形態は情報を保存している放送局を再び受信できるようになった場合に、受信帯域をスキャンしてその放送局を探すことなく選局情報から即時に選局ができること、サービス情報や番組情報を再取得することなく、放送局情報蓄積部１０７に保存したこれらの情報を読み出して即時に番組表（ＥＰＧ）やロゴデータなどを画面表示することができること、さらに、受信できるはずの地域かどうかで保存／消去を判定することでトンネルやビル影などで短時間のみ受信できなくなった場合にも放送局の情報を保存できること、という効果が得られる。
【００５７】
（実施の形態６）
実施の形態６では、図２、図４、図８は実施の形態５と共通である。
【００５８】
図１０は、本発明の実施の形態６におけるデジタル放送受信端末が、受信できなくなった放送局の情報の保存／消去を判定するフローチャートである。
【００５９】
図１０でのステップ１００１、１００２、１００３、１００４、１００６、１００７、１００８は図９でのステップ９０１、９０２、９０３、９０４、９０６、９０７、９０８と同様である。従って、ここでは実施の形態５と違うところを主に説明する。実施の形態６では、放送局Ａ２０１の放送を受信できなくなった場合は、現在位置が放送局Ａ２０１を受信できる地域に隣接する地域かが判定される（１００５）。
【００６０】
この判定には、例えば放送局の情報として送られるエリアコードと、デジタル放送端末１００の位置情報受信部１０８で受信した現在位置から算出したエリアコードが用いられる。エリアコードから隣接する地域かを判定するには、例えばエリアコードごとに隣接するエリアコードを配列として記録したテーブルを参照する手段がある。このテーブルはデジタル放送受信端末１００のメモリ上に保存されている。
【００６１】
判定の結果、現在位置が放送局Ａ２０１を受信できるはずの地域に隣接する地域であれば放送局Ａ２０１の情報は保存され（１００７）、そうでなければ放送局Ａ２０１の情報は消去される（１００６）。そうして、デジタル放送受信端末１００は放送局Ｂ２１１の放送を受信する。
【００６２】
移動体２２０が隣接する地域から再び放送局Ａ２０１の受信エリア２０２へ入り、放送局Ｂ２１１の放送が受信できなくなった場合（４０２）は、情報が保存されている放送局Ａ２０１が選局され（４０３）、受信可能であればチャンネルスキャンをすることなく放送局Ａ２０１の放送を視聴できる。
【００６３】
以上の様に、本実施の形態は情報を保存している放送局を再び受信できるようになった場合に、受信帯域をスキャンしてその放送局を探すことなく選局情報から即時に選局ができること、サービス情報や番組情報を再取得することなく、放送局情報蓄積部１０７に保存したこれらの情報を読み出して即時に番組表（ＥＰＧ）やロゴデータなどを画面表示することができること、さらに、受信できるはずの地域の隣接地域かどうかで保存／消去を判定することですぐに受信再開できる可能性の高い放送局の情報を保存できること、という効果が得られる。
【００６４】
（実施の形態７）
実施の形態７では、図２、図４は実施の形態１と共通である。
【００６５】
図１１は、本発明の実施の形態７におけるデジタル放送受信端末およびナビゲージョン端末のブロック図である。図１１において、デジタル放送受信端末１００は、デジタル放送受信部１０１と、制御部１０２と、放送局情報保存／消去判定部１０３と、映像表示部１０４と、音声出力部１０５と、入力部１０６と、放送局情報蓄積部１０７と、外部インターフェース１０９を備えている。ナビゲージョン端末１１０は、位置情報受信部１１１と、制御部１１２と、映像表示部１１３と、登録情報蓄積部１１４と、地図情報蓄積部１１５と、外部インターフェース１１６を備えている。位置情報受信部１１１は、例えば、ＧＰＳ情報受信部で構成することが出来る。
【００６６】
デジタル放送受信端末１００は外部インターフェース１０９以外の部分は図１と同じである。外部インターフェース１０９はナビゲージョン端末１１０の外部インターフェース１１６と接続されている。位置情報受信部１１１は制御部１１２に制御されて現在位置の情報を受信し、その情報を制御部１１２に提供する。登録情報蓄積部１１４にはユーザが指定した諸情報が登録されている。地図情報蓄積部１１５は地図情報を蓄積しており、制御部１１２に制御されて所望の地図情報を制御部１１２に提供する。映像表示部１１３は制御部１１２に制御されて所望の地図や情報を表示する。
【００６７】
図１２は、本発明の実施の形態７におけるデジタル放送受信端末１００が、受信できなくなった放送局の情報の保存／消去を判定するフローチャートである。
【００６８】
図１２でのステップ１２０１、１２０２、１２０３、１２０４、１２０６、１２０７、１２０８は図３でのステップ３０１、３０２、３０３、３０４、３０６、３０７、３０８と同様である。従って、ここでは実施の形態１と違うところを主に説明する。実施の形態７では、放送局Ａ２０１の放送が受信できなくなった場合は、放送局Ａ２０１を受信できるはずの地域の中に、ナビゲージョン端末１１０の登録情報蓄積部１１４に登録されている目的地があるか否かが判定される（１２０５）。
【００６９】
この判定には、例えば放送局の情報として送られるエリアコードと、ナビゲーション端末１１０に登録されている目的地の位置情報から算出したエリアコードが一致するかを用いる。目的地の位置情報とは、ナビゲーション端末のメモリ上に、例えば緯度や経度として記憶されている。
【００７０】
判定の結果、放送局Ａ２０１を受信できるはずの地域に目的地が登録されていれば放送局Ａ２０１の情報が保存され（１２０７）、そうでなければ放送局Ａ２０１の情報は消去される（１２０６）。
【００７１】
移動体２２０が登録されている目的地に向かう時に再び放送局Ａ２０１の受信エリア２０２へ入り、放送局Ｂ２１１が受信できなくなった場合（４０２）は、情報が保存されている放送局Ａ２０１が選局され（４０３）、受信可能であればチャンネルスキャンをすることなく放送局Ａ２０１の放送が視聴できる。
【００７２】
以上の様に、本実施の形態は情報を保存している放送局を再び受信できるようになった場合に、受信帯域をスキャンしてその放送局を探すことなく選局情報から即時に選局ができること、サービス情報や番組情報を再取得することなく、放送局情報蓄積部１０７に保存したこれらの情報を読み出して即時に番組表（ＥＰＧ）やロゴデータなどを画面表示することができること、さらに、放送局の地域に目的地が登録されているかで保存／消去を判定することで訪問する頻度の高い地域の放送局の情報を優先して保存できること、という効果が得られる。
【００７３】
（実施の形態８）
実施の形態８では、図２、図４、図１１は実施の形態７と共通である。
【００７４】
図１３は、本発明の実施の形態８におけるデジタル放送受信端末１００が、受信できなくなった放送局の情報の保存／消去を判定するフローチャートである。
【００７５】
図１３でのステップ１３０１、１３０２、１３０３、１３０４、１３０６、１３０７、１３０８は図１２でのステップ１２０１、１２０２、１２０３、１２０４、１２０６、１２０７、１２０８と同様である。従って、ここでは実施の形態７と違うところを主に説明する。実施の形態８では、放送局Ａ２０１の放送が受信できなくなった場合は、放送局Ａ２０１を受信できるはずの地域の中を、ナビゲージョン端末１１０の登録情報蓄積部１１４に登録されている経路が通過している否かがか判定される（１３０５）。経路情報とは、ナビゲーション端末１１０のメモリ上に、例えば出発地と目的地と複数の主要な通過点の緯度、経度として記憶されている。
【００７６】
この判定には、例えば放送局の情報として送られるエリアコードと、ナビゲーション端末１１０に登録されている経路上にある主要な通過点の位置情報から算出したエリアコードが一致するかが用いられる。
【００７７】
判定の結果、放送局Ａ２０１を受信できるはずの地域を通過する経路が登録されていれば放送局Ａ２０１の情報が保存され（１３０７）、そうでなければ放送局Ａ２０１の情報は消去される（１３０６）。
【００７８】
移動体２２０が登録されている経路を通る時に再び放送局Ａ受信エリア２０２へ入り、放送局Ｂ２１１が受信できなくなった場合（４０２）は、情報が保存されている放送局Ａ２０１が選局され（４０３）、受信可能であればチャンネルスキャンをすることなく放送局Ａ２０１の放送が視聴できる。
【００７９】
以上の様に、本実施の形態は情報を保存している放送局を再び受信できるようになった場合に、受信帯域をスキャンしてその放送局を探すことなく選局情報から即時に選局ができること、サービス情報や番組情報を再取得することなく、放送局情報蓄積部１０７に保存したこれらの情報を読み出して即時に番組表（ＥＰＧ）やロゴデータなどを画面表示することができること、さらに、放送局の地域を登録した経路が通過しているかで保存／消去を判定することで通過する頻度の高い地域の放送局の情報を優先して保存できること、という効果が得られる。
【産業上の利用可能性】
【００８０】
本発明のデジタル放送受信端末は、放送局の情報を保存している放送局を再び受信できるようになった場合に、再びチャンネルスキャンしてその放送局を探すことなく選局情報から即時に選局ができるとともに、番組情報を再取得することなく即時に利用できるという効果を有し、デジタル放送を移動して受信する場合に有用である。
【図面の簡単な説明】
【００８１】
【図１】本発明の実施の形態１から４におけるデジタル放送受信端末のブロック図
【図２】本発明の実施の形態１から８におけるデジタル放送受信端末を用いた移動受信のイメージ図
【図３】本発明の実施の形態１における放送局情報保存／消去判定フローチャート
【図４】本発明の実施の形態１から８における情報を保存している放送局受信エリアへ移動した場合のフローチャート
【図５】本発明の実施の形態２における放送局情報保存／消去判定フローチャート
【図６】本発明の実施の形態３における放送局情報保存／消去判定フローチャート
【図７】本発明の実施の形態４における放送局情報保存／消去判定フローチャート
【図８】本発明の実施の形態５、６におけるデジタル放送受信端末のブロック図
【図９】本発明の実施の形態５における放送局情報保存／消去判定フローチャート
【図１０】本発明の実施の形態６における放送局情報保存／消去判定フローチャート
【図１１】本発明の実施の形態７、８におけるデジタル放送受信端末およびナビゲーション端末のブロック図
【図１２】本発明の実施の形態７における放送局情報保存／消去判定フローチャート
【図１３】本発明の実施の形態８における放送局情報保存／消去判定フローチャート
【図１４】従来のデジタル放送受信端末のブロック図
【図１５】従来のデジタル放送受信端末のブロック図
【符号の説明】
【００８２】
１００    デジタル放送受信端末
１０１    デジタル放送受信部
１０２    制御部
１０３    放送局情報保存／消去判定部
１０４    映像表示部
１０５    音声出力部
１０６    入力部
１０７    放送局情報蓄積部
１０８    位置情報受信部
１０９    外部インターフェース
１１０    ナビゲーション端末
１１１    位置情報受信部
１１２    制御部
１１３    映像表示部
１１４    登録情報蓄積部
１１５    地図情報蓄積部
１１６    外部インターフェース
２０１    放送局Ａ
２０２    放送局Ａ受信エリア
２１１    放送局Ｂ
２１２    放送局Ｂ受信エリア
２２０    移動体
【図１】
0004333742.tif 000002
【図２】
0004333742.tif 000003
【図３】
0004333742.tif 000004
【図４】
0004333742.tif 000005
【図５】
0004333742.tif 000006
【図６】
0004333742.tif 000007
【図７】
0004333742.tif 000008
【図８】
0004333742.tif 000009
【図９】
0004333742.tif 000010
【図１０】
0004333742.tif 000011
【図１１】
0004333742.tif 000012
【図１２】
0004333742.tif 000013
【図１３】
0004333742.tif 000014
【図１４】
0004333742.tif 000015
【図１５】
0004333742.tif 000016